(57)【要約】【課題】  大型化した引き出し空間を効率的に間仕切ることが可能であるとともに、レイアウト変更に容易に対応できる自由度の高い引出し仕切り構造及びキッチンキャビネットを提供することにある。【解決手段】  矩形板状の底材と底材の四周から立設した板状の壁材からなる引出し仕切り構造であって、少なくともいずれかひとつの壁材内面の幅方向に、互いに平行に配された複数の摺動レールのうちの２つを一対として構成される、一対もしくは複数対の仕切り板摺動レールと、当該仕切り板摺動レール上を摺動可能に配された仕切り板軸部材と、当該仕切り板軸部材に蝶着された仕切り板本体とを備えている。【選択図】  図２
2005046316.tif 000002
【特許請求の範囲】
【請求項１】
矩形板状の底材と底材の四周から立設した板状の壁材からなる引出し仕切り構造であって、
少なくともいずれかひとつの壁材内面の幅方向に、互いに平行に配された複数の摺動レールのうちの２つを一対として構成される、一対もしくは複数対の仕切り板摺動レールと、当該仕切り板摺動レール上を摺動可能に配された仕切り板軸部材と、当該仕切り板軸部材に蝶着された仕切り板本体とを備えてなることを特徴とする引出し仕切り構造。
【請求項２】
前記仕切り板摺動レールを構成する一対の摺動レールは、その板厚が相互に略同一かつ前記仕切り板本体の板厚以上であるとともに、レール間の間隔が当該仕切り板の高さ方向の幅より大きいものであることを特徴とする請求項１に記載の引出し仕切り構造。
【請求項３】
前記複数の摺動レールのいずれかひとつの摺動レールと、当該摺動レールと対向する壁材の内面側に、当該摺動レールと鏡面対称な位置に設けた対向面摺動レールとから構成されるスライドトレイ摺動レールと、当該スライドトレイ摺動レールを摺動可能に配されたスライドトレイとを備えてなることを特徴とする請求項１もしくは２のいずれかに記載の引出し仕切り構造。
【請求項４】
前記スライドトレイは、キャビネット本体に着脱自在な係合部を有することを特徴とする請求項３に記載の引出し仕切り構造。
【請求項５】
前記係合部は、キャビネット本体に設けた溝部に係合可能な突起状係合部であることを特徴とする請求項４に記載の引出し仕切り構造。
【請求項６】
請求項１乃至５のいずれかに記載の引出し仕切り構造を有することを特徴とするキッチンキャビネット。
【発明の詳細な説明】
【技術分野】
【０００１】
本発明は、引出しの内部空間を間仕切ることができる引出し仕切り構造及びキッチンキャビネットに関するものであり、詳しくは、間仕切り位置を自由に調節可能とすることで収納物に合せたレイアウトの変更が可能な引出し仕切り構造及びキッチンキャビネットに関するものである。
【背景技術】
【０００２】
従来の引出し仕切り構造としては、内周面に仕切部材の一方端を係合して固定する仕切部材固定構造を有する引出しの内部空間に、仕切方向両端に他の仕切部材と相互に係合して仕切部材を連結する所定の係合構造を有する略板状形状に形成された複数の仕切部材にて間仕切り可能な引出し仕切り構造が知られている。具体的には、図５に示すように、仕切部材９０、９１、９２にて間仕切りを行なうにあたり、引出し８０の内部空間を所定位置にて二分するとともに、所定箇所に仕切部材９１、９２の凸部を係合可能な溝を有する仕切補助部材９３を利用する。また、壁材８１〜８４には各々溝８１ａ〜８４ｃが形成されており、そのうち溝８１ａ〜８３ｃ は、仕切部材９０、９２の凸部が嵌合可能に形成されている。そして、仕切補助部材９３ を溝８２ａと溝８４ａの間に装着し、この仕切補助部材９３を利用して仕切部材９０、９１、９２にて適宜間仕切りを行なう。このように、仕切補助部材９３と仕切部材９０、９１、９２ を適宜組み合わせ、それぞれの凹凸部を相互に嵌め合うことによって、所望の間仕切り空間９４、９６ａ、９６ｂ、９７を形成することが可能になる。（特許文献１）
一方、近年のキッチンキャビネットにおいては、共通化や縦・横割を減らし横ラインを強調してキャビネットを正面視した場合の美観を向上させるため、引出しの大型化が図られている。かかる大型の引出しの場合、引出し自体の横幅や高さが大きいので、従来と同様の大きさの収納物を収納するためには、内部空間をより効率的に間仕切りすることのできる仕切り構造が必要となる。また、引出し自体の数が少なくなるため、一つの引出し内で、収納物に合わせて適宜引出し収納機構のレイアウトが変更可能な仕切り構造が求められている。
【０００３】
しかし、上記のような従来の引出し仕切り構造では、仕切り部材の寸法が決まってしまうと、変更できるレイアウトのバリエーションが制約される場合があり、所望の場所に仕切りを設けることができず、その結果、スライドトレイ等の収納パーツの変更・取り替えなどに対して柔軟に対応できないという問題があった。また、大きな引出し空間にかかる間仕切り構造を構築する場合には、仕切り部材の部品点数が多くなり、組立てやレイアウト変更に時間がかかるという問題が生じる。
【特許文献１】特開２００２−１４２８８９号公報
【発明の開示】
【発明が解決しようとする課題】
【０００４】
本発明は、このような点に鑑みてなされたものであり、その目的とするところは、大型化した引き出し空間を効率的に間仕切ることが可能であるとともに、レイアウト変更に容易に対応できる自由度の高い引出し仕切り構造及びキッチンキャビネットを提供することである。
【発明の効果】
【０００５】
本発明の請求項１に係る引出し仕切り構造によると、摺動レール上の所望の位置に仕切り板を移動することができるので、引出しの内部空間の間仕切り位置を自由に調節可能とすることができ、収納物に合わせたレイアウトを自在に構成することができる引出し仕切り構造を得ることができる。
【０００６】
この請求項２に係る引出し仕切り構造によると、上述した請求項１の効果に加えて、１対のレール間で構成されるエリアに仕切り板本体を折り畳んで完全に収納することができるので、仕切り板の不使用時に、他の収納物を収納する際に仕切り板の存在が邪魔になることがなく、キャビネット内の他の場所に、仕切り板を収納するスペースを設ける必要がなくなる。
【０００７】
この請求項３に係る引出し仕切り構造によると、上述した請求項１の効果に加えて、仕切り板摺動レールの一部もしくは全部をスライドトレイ摺動レールとして活用することができるため、レイアウト構成の自由度が更に高まる。さらに、仕切り板摺動レールを構成する複数の摺動レールをスライドトレイ摺動レールとして活用すれば、多段にわたって摺動可能なスライドトレイを構成することができるため、高さ方向のスペースを有効に活用することができる。
【０００８】
この請求項４に係る引出し仕切り構造によると、キャビネット本体にスライドトレイを係合することができるため、スライドトレイに収納されている収納物を用いて、キャビネット内もしくはキャビネット近傍の作業スペースで作業を行なう場合、都度引出しの開閉を行なう必要が無く、作業の効率化に寄与することができる。また、キャビネット本体の複数の箇所に係合可能であれば作業場所に応じてスライドトレーを移動することができる。
【０００９】
この請求項５に係る引出し仕切り構造によると、簡単な構成でキャビネット本体へのスライドトレイの係合を確実に行なうことができる。
【００１０】
この請求項６に係るキッチンキャビネットによると、引出しの内部空間の間仕切り位置を、引出しの大きさによらず自由に調節することができ、収納物に合わせたレイアウトを自在に構成することができる引出し引出し仕切り構造を有するので、引き出しの大型化を図ることができ、その結果、共通化や縦・横割を減らし横ラインを強調してキャビネットを正面視した場合の美観を向上させることができる。
【課題を解決するための手段】
【００１１】
上記した課題を解決するために、本発明の請求項１に係る引出し仕切り構造は、矩形板状の底材と底材の四周から立設した板状の壁材からなる引出し仕切り構造であって、少なくともいずれかひとつの壁材内面の幅方向に、互いに平行に配された複数の摺動レールのうちの２つを一対として構成される、一対もしくは複数対の仕切り板摺動レールと、当該仕切り板摺動レール上を摺動可能に配された仕切り板軸部材と、当該仕切り板軸部材に蝶着された仕切り板本体とを備えてなることを特徴とする。
【００１２】
本発明の請求項２に係る引出し仕切り構造は、前記仕切り板摺動レールを構成する一対の摺動レールが、その板厚が相互に略同一かつ前記仕切り板本体の板厚以上であるとともに、レール間の間隔が当該仕切り板の高さ方向の幅より大きいものであることを特徴とする。
【００１３】
本発明の請求項３に係る引出し仕切り構造は、前記複数の摺動レールのいずれかひとつの摺動レールと、当該摺動レールと対向する壁材の内面側に、当該摺動レールと鏡面対称な位置に設けた対向面摺動レールとから構成されるスライドトレイ摺動レールと、当該スライドトレイ摺動レールを摺動可能に配されたスライドトレイとを備えてなることを特徴とする。
【００１４】
本発明の請求項４に係る引出し仕切り構造は、前記スライドトレイが、キャビネット本体に着脱自在な係合部を有することを特徴とする。
【００１５】
本発明の請求項５に係る引出し仕切り構造は、前記係合部が、キャビネット本体に設けた溝部に係合可能な突起状係合部であることを特徴とする。
【００１６】
本発明の請求項６に係るキッチンキャビネットは、請求項１乃至５のいずれかに記載の引出し仕切り構造を有することを特徴とする。
【発明を実施するための最良の形態】
【００１７】
つぎに、本発明を図に示す実施形態に基づいて詳細に説明する。
【００１８】
（実施形態１）
本発明の第１実施形態における引出し仕切り構造の概略図を図１に示す。
【００１９】
図１において１は仕切り板摺動レール、１ａ、１ｂは摺動レール、２は仕切り板本体、３は仕切り板軸部材、１０は引出し本体、１１は底材、１２は前板、１３は後板、１４、１５は側板、２０は壁材の内面側に形成された凹部である。
【００２０】
引出し本体１０は、上方に開口した平面視矩形状の箱型で、底材１１と底材１１の四周から立設される前板１２、後板１３、側板１４、１５からなる壁材より構成される。本実施形態では、前板１２、後板１３の高さは、側板１４、１５よりも高くなっているが、この引出し形状に限定されるものではない。
【００２１】
後板１０ｄの内面側には、幅ａ、高さｈ、深さｄの略矩形の凹部２０が設けられており、
当該凹部２０の上下の側壁面２０ａ、２０ｂの各々の対向する位置に、仕切り板軸部材３をスライドさせるための溝部２１ａ、２１ｂが設けられて、上部の摺動レール１ａ及び下部の摺動レール１ｂが形成されている。
【００２２】
仕切り板軸部材３は、溝部２１ａ、２１ｂに嵌合する突起部を両端に備えた柱状部材であって、上部の摺動レール１ａ及び下部の摺動レール１ｂからなる仕切り板摺動レール１上を幅方向に往来自在に移動することができるものである。
【００２３】
仕切り板本体２は、仕切り板軸部材３に蝶着されることにより、回動自在に設けられた板状部材であり、仕切り板軸部材３を仕切り板摺動レール１上を移動させることにより、仕切り板本体２を所望の位置に移動させることができるとともに、仕切り板本体２を使用しない場合は、凹部２０の底面部に沿うように折り畳むことができる。また、仕切り板軸部材３にストッパー等を配して、回動の範囲を略９０度にして、仕切り板本体２が折り畳み状態から最大に回動した場合に、後板１３から垂設されるようにしてもよく、さらに、仕切り板軸部材３に位置決め部材を配して、後板１３から垂設された状態で仕切り板本体２が固定されるようにしてもよい。
【００２４】
当該仕切り板本体２の幅、高さ及び厚さの各々が、いずれも凹部２０の幅ａ、高さｈ、深さｄ以下であれば、凹部２０内に仕切り板本体２を折り畳んで完全に収納することができるので、仕切り板本体２を使用せずに他の収納物を収納する際に、仕切り板本体２の存在が邪魔になることがなく、キャビネット内の他の場所に、仕切り板を収納するスペースを設ける必要もなくなる。この場合の仕切り板本体２の幅とは、仕切り板本体２が仕切り板軸部材３が蝶着されているものの全体の幅をいう。
【００２５】
本実施形態では、仕切り板摺動レール１が後板に設置される構成であったが、必ずしもこれに限定されるものではなく、前板や側板の内面側に備わっていてもよく、また、複数の側壁内面に摺動レールが備わっていてもよい。
【００２６】
さらに、本実施形態では、後板１３の内面に一対の摺動レール（上部の摺動レール１ａ及び下部の摺動レール１ｂ）から仕切り板摺動レール１が構成されていたが、必ずしもこれに限定されるものではなく、高さ方向に３本以上の摺動レールを設けることにより、同一面上の上下に複数の仕切り板板本体２をスライド可能に配してもよい。また、各レールに複数の仕切り板軸部材３及び仕切り板本体２を設けてもよい。
【００２７】
（実施形態２）
本発明の第２実施形態における引出し仕切り構造の概略図を図２、図３に示す。
【００２８】
図２において１は仕切り板摺動レール、１ａ、１ｂは摺動レール、２は仕切り板本体、３は仕切り板軸部材、４はスライドトレイ摺動レール、４ａ、４ｂは摺動レール、１３は後板である。
【００２９】
引出し本体１０は、上方に開口した平面視矩形状の箱型で、底材１１と底材１１の四周から立設される前板１２、後板１３、側板１４、１５からなる壁材より構成される。
【００３０】
図２に示すように、後板１０ｄの内面側には、長さ方向の一面に仕切り板軸部材３をスライドさせるための溝部２１が設けられた一対の柱状部材である上部の摺動レール１ａ及び下部の摺動レール１ｂが、双方の溝部が対向するよう幅方向に突設され、仕切り板摺動レールが形成されている。
【００３１】
仕切り板軸部材３は、溝部２１ａ、２１ｂに嵌合する突起部を両端に備えた柱状部材であって、上部の摺動レール１ａ及び下部の摺動レール１ｂからなる仕切り板摺動レール１上を幅方向に往来自在に移動することができるものである。
【００３２】
仕切り板本体２は、仕切り板軸部材３に蝶着されることにより、回動自在に設けられた板状部材であり、仕切り板軸部材３を仕切り板摺動レール１上を移動させることにより、仕切り板本体２を所望の位置に移動させることができるとともに、仕切り板本体２を使用しない場合は、後板１３に沿うように折り畳むことができる。また、仕切り板軸部材３にストッパー等を配して、回動の範囲を略９０度にして、仕切り板本体２が折り畳み状態から最大に回動した場合に、後板１３から垂設されるようにしてもよく、さらに、仕切り板軸部材３に位置決め部材を配して、後板１３から垂設された状態で仕切り板本体２が固定されるようにしてもよい。
【００３３】
当該仕切り板本体２の幅、高さ及び厚さのいずれもが、各々、仕切り板摺動レール１のレール長さ、上部の摺動レール１ａ及び下部の摺動レール１ｂのレール間隔、レールの突設高さ以下であれば、上部の摺動レール１ａ及び下部の摺動レール１ｂ間に凹仕切り板本体２を折り畳んで完全に収納することができるので、仕切り板の不使用時に、他の収納物を収納する際に仕切り板の存在が邪魔になることがなく、キャビネット内の他の場所に、仕切り板を収納するスペースを設ける必要がなくなる。この場合の仕切り板本体２の幅とは、仕切り板本体２が仕切り板軸部材３が蝶着されているものの全体の幅をいう。
【００３４】
本実施形態では、仕切り板摺動レール１が後板１３に設置される構成であったが、必ずしもこれに限定されるものではなく、前板や側板の内面側に備わっていてもよく、また、複数の側壁内面に摺動レールが備わっていてもよい。
【００３５】
さらに、本実施形態では、後板１３の内面に一対の摺動レール（上部の摺動レール１ａ及び下部の摺動レール１ｂ）から仕切り板摺動レール１が構成されていたが、必ずしもこれに限定されるものではなく、高さ方向に３本以上の摺動レールを設けることにより、同一面上の上下に複数の仕切り板３をスライド可能に配してもよい。また、各レールに複数の仕切り板軸部材３及び仕切り板本体２を設けてもよい。
【００３６】
また、図３において１は仕切り板摺動レール、１ａ、１ｂは摺動レール、２は仕切り板本体、３は仕切り板軸部材、４はスライドトレイ摺動レール、４ａ、４ｂは摺動レール、１０は引出し本体、１２は前板、１３は後板、３０はスライドトレイ、５０はレードル収納用トレイである。
【００３７】
図３に示すように、前板１２の内面側の、後板１３に設置された摺動レール１（上部の摺動レール１ａ及び下部の摺動レール１ｂ）と鏡面対称の位置に、夫々上部の摺動レール１ａ及び下部の摺動レール１ｂと同一形状の柱状部材である上部の摺動レール４ａ、下部の摺動レール４ｂが突設されており、上部の摺動レール１ａ及び上部の摺動レール４ａから上部のスライドトレイ摺動レール４が、下部の摺動レール１ｂ及び下部の摺動レール４ｂから下部のスライドトレイ摺動レール４が各々形成される。
【００３８】
スライドトレイ３０は、上面開口の箱体であり、スライドトレイ摺動レール４に載置されて、スライドトレイ摺動レール４上をスライド可能に配されている。
【００３９】
本実施形態では、上部のスライドトレイ摺動レール４及び下部のスライドトレイ摺動レール４の各々にひとつのスライドトレイ３０が配されているが、これに限定されるものではなく、形成されるスライドトレイ摺動レール４は必要に応じて上部、下部のいずれかひとつであってもよいし、ひとつのスライドトレイ摺動レール４上に複数のスライドトレイ３０が載置されていてもよい。また、本実施形態では、前板１２及び後板１３の内面側に設置した摺動レールからスライドトレイ摺動レール４が形成されたいたが、これに限定されるものではなく、側板間の内面側に摺動レールを設置してスライドトレイ摺動レール４を形成してもよい。また、スライドトレイ３０の形状は、本実施形態のものに限定されるものではなく、例えば、図３に示すようなレードル収納用トレイ５０のような他の収納部材との関係で適宜変更される。
【００４０】
（実施形態３）
本発明の第３実施形態における引出し仕切り構造の概略図を図４に示す。
【００４１】
図４において３０はスライドトレイ、４０はスライドトレイ３０の係合部、６０ａはキッチンキャビネット本体の前端部６０に形成された溝部である。
【００４２】
本発明の第３実施形態における引出し仕切り構造の構成は、スライドトレイ３０に係合部を備えてなることに特徴を有しており、上述した第２の実施形態と共通する構成については説明を省略する。
【００４３】
図４に示すように、スライドトレイ３０の長手方向の左右双方の開口縁部に、断面が緩やかな曲線凹部形状である突起状の係合部４０が設けられている。当該係合部４０は、図示しないキッチンキャビネット本体のカウンターの前端部６０に形成された溝部６０ａと嵌合するものであり、当該係合部４０を介して、スライドトレイ３０がカウンターの前端部６０に着脱自在に係合することが可能となる。係合部４０は、本実施形態の形状に限定されるものではなく、また、スライドトレイ３０の開口縁部に蝶着されていてもよい。係る場合には、係合部４０が回動自在に配されるため、使用時しないときは、折り畳んでトレイ３０の壁板内面に沿わせて収納することができ、係合部４０の取付けが不要となるとともに、係合部４０を使用しないときの収納スペースの設置が不要となる。さらに、左右双方の開口縁部に係合部４０が備えられている場合には、当該係合部４０を、スライドトレイ摺動レール４に載置させてもよい。
【図面の簡単な説明】
【００４４】
【図１】本発明の引出し仕切り構造において、第１実施形態の概略斜視図である。
【図２】本発明の引出し仕切り構造において、第２実施形態の概略斜視図である。
【図３】本発明の引出し仕切り構造において、第２実施形態の概略斜視図である。
【図４】本発明の引出し仕切り構造において、第３実施形態の概略斜視図である。
【図５】従来例を示す断面図である。
【符号の説明】
【００４５】
１    仕切り板摺動レール
１ａ  摺動レール
１ｂ  摺動レール
２    仕切り板本体
３    仕切り板軸部材
４    スライドトレイ摺動レール
１０  引出し本体
１１  底材
１２  前板
１３  後板
１４  側板
１５  側板
３０  スライドトレイ
４０  係合部
６０  前端部
【図１】
2005046316.tif 000003
【図２】
2005046316.tif 000004
【図３】
2005046316.tif 000005
【図４】
2005046316.tif 000006
【図５】
2005046316.tif 000007